(57)【要約】      （修正有）【課題】エレベータの乗場又はかごの操作盤等に設けられ、階床表示のための数字等の文字が印字された階床毎のボタンを安価に製作できるエレベータのボタン装置を得る。【解決手段】ボタン１の表面を押すことにより指定階をエレベータ制御部に電気的に伝送するものにおいて、スイッチ３と、スイッチの壁側とは反対側の一端面上に設けられたアクチュエーター４と、アクチュエーターの壁側とは反対側の一端面上に設けられた透明材料からなるボタンキャップ５とを備え、アクチュエーター４の表面にインク層を設け、このインク層にレーザーを照射し、不要なインク層を除去することにより、指定階の階床文字を成形し、成形された階床文字の表面上にボタンキャップ５を設ける。【選択図】図１
2006137542.tif 000002
【特許請求の範囲】
【請求項１】
ボタンの表面を押すことにより指定階をエレベータ制御部に電気的に伝送するエレベータのボタン装置において、
スイッチと、
前記スイッチの壁側とは反対側の一端面上に設けられたアクチュエーターと、
前記アクチュエーターの壁側とは反対側の一端面上に設けられた透明材料からなるボタンキャップとを備え、
前記アクチュエーターの表面にインク層を設け、このインク層にレーザーを照射し、不要なインク層を除去することにより、前記指定階の階床文字を成形し、成形された階床文字の表面上に前記ボタンキャップを設けたことを特徴とするエレベータのボタン装置。
【請求項２】
ボタンの表面を押すことにより指定階をエレベータ制御部に電気的に伝送するエレベータのボタン装置において、
スイッチと、
前記スイッチの壁側とは反対側の一端面上に設けられたアクチュエーターと、
前記アクチュエーターの壁側とは反対側の一端面上に設けられた透明材料からなるボタンキャップとを備え、
前記ボタンキャップの裏面にインク層を設け、このインク層にレーザーを照射し、不要なインク層を除去することにより、前記指定階の階床文字を成形し、ボタンキャップ、指定階の階床文字、アクチュエーター、スイッチの順に階層的に構成されたことを特徴とするエレベータのボタン装置。
【請求項３】
ボタンの表面を押すことにより指定階をエレベータ制御部に電気的に伝送するエレベータのボタン装置において、
スイッチと、
前記スイッチの壁側とは反対側の一端面上に設けられたアクチュエーターと、
前記アクチュエーターの壁側とは反対側の一端面上に設けられた透明材料からなるボタンキャップとを備え、
前記アクチュエーターをレーザーマーキングで変色する樹脂材料で構成するとともに、前記アクチュエーターの表面にレーザーを照射して、照射部分のみを変色させることにより前記指定階の階床文字を形成し、この階床文字の表面上に前記ボタンキャップを設けたことを特徴とするエレベータのボタン装置。
【請求項４】
ボタンの表面を押すことにより指定階をエレベータ制御部に電気的に伝送するエレベータのボタン装置において、
スイッチと、
前記スイッチの壁側とは反対側の一端面上に設けられたアクチュエーターと、
前記アクチュエーターの壁側とは反対側の一端面上に設けられた透明材料からなるボタンキャップとを備え、
前記ボタンキャップをレーザーマーキングで変色する樹脂材料で構成するとともに、ボタンキャップの裏面にレーザーを照射して、照射部分のみを変色させることにより前記指定階の階床文字を形成し、ボタンキャップ、指定階の階床文字、アクチュエーター、スイッチの順に階層的に構成されたことを特徴とするエレベータのボタン装置。
【発明の詳細な説明】
【技術分野】
【０００１】
この発明は、エレベータの乗場又はかご操作盤に設けられ、階床表示のための数字等の文字が印字されたエレベータのボタン装置に関するものである。
【背景技術】
【０００２】
従来のエレベータのボタン装置としては、例えば、図７〜図９に示すような構造のものがあった。
図において、エレベータの乗場又はかごの操作盤等の取付壁に設けられたボタン１１は、取付壁に取り付けられるハウジング１２と、このハウジング１２内に設けられたスイッチ１３と、ハウジング１２の前面側に設けられたアクチュエーター１４と、このアクチュエーター１４の前面開口部を覆うように設けられ、前面開口部の内周縁に形成された段差１４ａを利用して貼り付けられた文字板１５と、この文字板１５の前面部及びアクチュエーター１４の前面開口部の外周側部をそれぞれ覆うように設けられた透明材料からなる断面コ字状のボタンキャップ１６とから構成されている。そして、上記文字板１５は階床毎に版下を設け、文字板１５の表面に階床表示のための数字等の文字をシルク印刷して製作している。また、文字板１５をアクチュエーター１４に貼り付ける際、ボタン１１の照光面積を広範囲に確保するため、アクチュエーター１４上の文字板１５を貼り付ける段差１４ａの面積は最小限のものでしかない。
また、他の従来技術としては、薄形で組立て性が良く、低コストのエレベータ用タッチボタン装置が知られている（例えば、特許文献１参照）。
【０００３】
【特許文献１】特開２００３−１７８６５７号公報
【発明の開示】
【発明が解決しようとする課題】
【０００４】
従来のエレベータのボタン装置では、文字板１５の表面に階床表示のための数字等の文字をシルク印刷して製作しているので、製作のためのイニシャルコストが嵩むという問題があった。また、文字板１５をアクチュエーター１４に貼り付ける際、ボタン１１の照光面積を広範囲に確保するため、アクチュエーター１４上の文字板１５を貼り付ける段差１４ａの面積は最小限のものでしかないので、接着強度を確保するために貼り付け作業に時間がかかっていた。また、文字板１５をアクチュエーター１４に貼る際に文字のセンター合わせをする必要があり、面倒な作業となり、貼り付け作業に時間がかかっていた。更に、文字板１５の端面からの光漏れを防ぐために、アクチュエーター１４には段差１４ａを設けているが、この段差１４ａがボタン１１の厚さを大きくする要因となっていた。
また、特許文献１記載のものでは、透光性シートの裏面に階床表示のための数字等の文字或いは記号からなる表示図形が印刷によって設けられているので、上記従来のボタン装置と同様の問題があった。
【０００５】
この発明は、上述のような課題を解決するためになされたもので、その目的は、エレベータの乗場又はかごの操作盤等に設けられ、階床表示のための数字等の文字が印字された階床毎のボタンを安価に製作できるエレベータのボタン装置を提供するものである。
【課題を解決するための手段】
【０００６】
この発明に係るエレベータのボタン装置は、ボタンの表面を押すことにより指定階をエレベータ制御部に電気的に伝送するものにおいて、スイッチと、スイッチの壁側とは反対側の一端面上に設けられたアクチュエーターと、アクチュエーターの壁側とは反対側の一端面上に設けられた透明材料からなるボタンキャップとを備え、アクチュエーターの表面にインク層を設け、このインク層にレーザーを照射し、不要なインク層を除去することにより、指定階の階床文字を成形し、成形された階床文字の表面上にボタンキャップを設けたものである。
【０００７】
また、ボタンキャップの裏面にインク層を設け、このインク層にレーザーを照射し、不要なインク層を除去することにより、指定階の階床文字を成形し、ボタンキャップ、指定階の階床文字、アクチュエーター、スイッチの順に階層的に構成されたものである。
【発明の効果】
【０００８】
この発明は、階床毎に文字板の版下を設けなくても良いので、イニシャルコストを低減することができる。また、文字板機能がボタンキャップ又はアクチュエーターに集約されるため、部品点数を削減することができ、文字板の貼り付け作業が不要となるため、更なるコスト削減が可能となる。また、薄型化を図ることができる。
【発明を実施するための最良の形態】
【０００９】
実施の形態１．
図１はこの発明の実施の形態１におけるエレベータのボタン装置を示す底面図、図２はこの発明の実施の形態１におけるエレベータのボタン装置のボタンキャップを示す正面図、図３は図２のＡ−Ａ線に沿ったボタンキャップの断面図である。
図において、エレベータの乗場又はかごの操作盤等の取付壁に設けられたボタン１は、取付壁に取り付けられるハウジング２と、このハウジング２内に設けられたスイッチ３と、ハウジング２の前面側に設けられたアクチュエーター４と、このアクチュエーター４の前面中央の矩形突出部を覆うように設けられた透明樹脂材料からなる断面コ字状のボタンキャップ５とから構成されている。そして、上記透明樹脂材料からなるボタンキャップ５は、図２、図３に示すように、その裏面全面にインク層５ａによる図柄等をインモールド成形しておき、インク層５ａにレーザーを照射して、不要なインク層を除去することにより、階床表示のための数字等の階床文字部５ｂをボタンキャップ５裏面にレーザーマーキングするものである。
【００１０】
この実施の形態１によれば、上記のような構造を採用することで、従来のように階床毎に文字板の版下を設けなくても良いので、イニシャルコストを低減することができる。また、文字板機能がボタンキャップ５に集約されるため、部品点数を削減することができ、文字板の貼り付け作業が不要となるため、更なるコスト削減が可能となる。また、従来では文字板端面からの光漏れ対策のために、アクチュエーターに段差を設けなくてはならず、段差分だけボタン構造が厚くなっていたが、インモールド成形でボタンキャップの裏面全面を図柄等で覆うため、段差が不要となり、薄型化を図ることができる。また、段差が無いので、意匠性も向上できる。
【００１１】
実施の形態２．
図４はこの発明の実施の形態２におけるエレベータのボタン装置を示す底面図、図５はこの発明の実施の形態２におけるエレベータのボタン装置のアクチュエーターを示す正面図、図６は図５のＢ−Ｂ線に沿ったアクチュエーターの断面図である。
図において、エレベータの乗場又はかごの操作盤等の取付壁に設けられたボタン１は、取付壁に取り付けられるハウジング２と、このハウジング２内に設けられたスイッチ３と、ハウジング２の前面側に設けられたアクチュエーター４と、このアクチュエーター４の前面中央の矩形突出部を覆うように設けられた透明樹脂材料からなる断面コ字状のボタンキャップ５とから構成されている。そして、上記アクチュエーター４は、図５、図６に示すように、その前面中央の矩形突出部の表面全面にインク層４ａによる図柄等をインモールド成形しておき、インク層４ａにレーザーを照射して、不要なインク層を除去することにより、階床表示のための数字等の階床文字部４ｂをアクチュエーター４表面にレーザーマーキングするものである。
【００１２】
この実施の形態２によれば、上記のような構造を採用することで、従来のように階床毎に文字板の版下を設けなくても良いので、イニシャルコストを低減することができる。また、文字板機能がアクチュエーター４に集約されるため、部品点数を削減することができ、文字板の貼り付け作業が不要となるため、更なるコスト削減が可能となる。また、従来では文字板端面からの光漏れ対策のために、アクチュエーターに段差を設けなくてはならず、段差分だけボタン構造が厚くなっていたが、インモールド成形でアクチュエーターの表面全面を図柄等で覆うため、段差が不要となり、薄型化を図ることができる。また、段差が無いので、意匠性も向上できる。
【００１３】
実施の形態３．
上記実施の形態１、２では、ボタンキャップ５又はアクチュエーター４に、インク層５ａ又は４ａによる図柄等をインモールド成形しておき、インク層５ａ又は４ａにレーザーを照射して、不要なインク層を除去することにより、階床表示のための数字等の階床文字部５ｂ又は４ｂをボタンキャップ５裏面又はアクチュエーター４表面にレーザーマーキングするものとしているが、この実施の形態３は、インモールド成形の代わりに、ボタンキャップ５又はアクチュエーター４をレーザーマーキングで変色する樹脂材料で構成するものである。そして、ボタンキャップ５裏面又はアクチュエーター４表面の階床表示のための数字等の階床文字部にレーザーを照射して、照射部分のみを変色させることにより、２色の色分けによって階床文字部を形成することが可能となる。
【図面の簡単な説明】
【００１４】
【図１】この発明の実施の形態１におけるエレベータのボタン装置を示す底面図である。
【図２】この発明の実施の形態１におけるエレベータのボタン装置のボタンキャップを示す正面図である。
【図３】図２のＡ−Ａ線に沿ったボタンキャップの断面図である。
【図４】この発明の実施の形態２におけるエレベータのボタン装置を示す底面図である。
【図５】この発明の実施の形態２におけるエレベータのボタン装置のアクチュエーターを示す正面図である。
【図６】図５のＢ−Ｂ線に沿ったアクチュエーターの断面図である。
【図７】従来のエレベータのボタン装置を示す正面図である。
【図８】従来のエレベータのボタン装置を示す底面図である。
【図９】従来のボタン装置の一部を拡大して示す断面図である。
【符号の説明】
【００１５】
１  ボタン
２  ハウジング
３  スイッチ
４  アクチュエーター
５  ボタンキャップ
４ａ、５ａ  インク層
４ｂ、５ｂ  階床文字部
【図１】
2006137542.tif 000003
【図２】
2006137542.tif 000004
【図３】
2006137542.tif 000005
【図４】
2006137542.tif 000006
【図５】
2006137542.tif 000007
【図６】
2006137542.tif 000008
【図７】
2006137542.tif 000009
【図８】
2006137542.tif 000010
【図９】
2006137542.tif 000011